(57)【要約】【課題】ポールのように車幅方向に広がりを備えていない障害物に対して車幅方向中央部分が激突したときに左右のフロントサイドフレームに衝突荷重を分散させると共にパワープラントの後退を抑える。【解決手段】エンジンルーム3に搭載したパワープラント40に係合してパワープラント40から左右に且つ前方に延びる少なくとも２組の上下に離置した上方張力材60と下方張力材62を有している。上下の張力材60,62の左右の前端は、エンジンルーム3を前後方向に延びる閉断面構造の左右のフロントサイドフレーム10の前端部に締結されている。そして、下方張力材62は、パワープラント40の後端部に係合して、パワープラント40を下方から見たときに、前方に向けて略Ｖ字状に延びている。【選択図】図3
2010006222.tif 000002
【特許請求の範囲】
【請求項１】
エンジンルームに搭載したパワープラントに係合して該パワープラントから左右に且つ前方に延びる少なくとも２組の上下に離置した可撓性の上方張力材と下方張力材を有し、
前記上方張力材の左右の前端が、前記エンジンルームを前後方向に延びる閉断面構造の左右のフロントサイドフレームの前端部に締結され、
前記下方張力材の左右の前端が、前記左右のフロントサイドフレームの前端部に締結され、
前記下方張力材が、前記パワープラントの後端部に係合して、該パワープラントを下方から見たときに、前方に向けて略Ｖ字状に延びていることを特徴とする車体前部構造。
【請求項２】
前記下方張力材が、前記パワープラントの下面を通過している、請求項１に記載の車体前部構造。
【請求項３】
前記左右のフロントサイドフレームの後端部の間を車幅方向に延びるサブフレームと、
該サブフレームに前記パワープラントの後端部を搭載する第１マウント部材と、を更に有し、
前記下方張力材が第１、第２の分割下方張力材からなり、
これら第１、第２の分割下方張力材の前端が前記左右のフロントサイドフレームの前端部に夫々締結されると共に該第１、第２の分割下方張力材の後端が前記第１マウント部材に締結されている、請求項１又は２に記載の車体前部構造。
【請求項４】
前記閉断面構造の左右のフロントサイドフレームの前端部に上下に貫通するロングボルトを有し、
該ロングボルトの上端部に前記上方張力材の前端が締結され、
前記ロングボルトの下端部に前記下方張力材の前端が締結されている、請求項３に記載の車体前部構造。
【請求項５】
前記上方張力材が、前記パワーラントに掛け渡されて、一方の前端から他方の前端まで連続して延びている、請求項４に記載の車体前部構造。
【請求項６】
前記パワープラントを前記左右のフロントサイドフレームに搭載するための第２、第３のマウント部材を更に有し、
前記上方張力材が第１、第２の分割上方張力材からなり、該第１、第２の分割上方張力材の後端が、夫々、前記第２、第３のマウント部材に締結されている、請求項４に記載の車体前部構造。
【発明の詳細な説明】
【技術分野】
【０００１】
本発明は、車体前部構造に関し、より詳しくは、ポール状の障害物に対して車幅方向中央部分が前面衝突したときの安全性を向上することのできるものに関する。
【背景技術】
【０００２】
車体前部は、一般的に、車体前端において車幅方向に延びるバンパーレインフォースメントの左右の端部を夫々左右一対のフロントサイドフレームの前端に連結する、より詳しくはクラッシュカンを介して連結する構造が採用されている。すなわち、車体前部構造として、左右のフロントサイドフレームは前面衝突の際の主なる衝撃吸収部材として機能する構造が採用されている。
【０００３】
前面衝突に関する衝撃安全性能試験は二つの態様で行われている。第一の態様がフルラップ前面衝突であり、第二の態様がオフセット前面衝突である。フルラップ前面衝突試験では、車両を所定速度でコンクリート製の障壁に衝突させることにより行われる。オフセット前面衝突試験では、車両の一方の側部（オーバーラップ率４０％）をハニカム状の障壁に前面衝突させることにより行われる。
【０００４】
自動車製造会社では上記のフルラップ衝突及びオフセット衝突に関する試験を念頭においた前面衝突に関する社内基準を設け、社内基準に合致する車両の開発を行っているのが実状である。
【０００５】
実際の前面衝突事故では種々様々な態様がある。その一つに、道路脇に植設された電柱や道路標識の支柱などに衝突した場合である。このポール状の障害物に対して車両の側部で前面衝突したときには、前述したオフセット前面衝突試験と同様に、一方のフロントサイドフレームによって衝撃を吸収することが可能である。しかし、車両の車幅方向中央部分がポール状の障害物に激突した場合、バンパーレインフォースメントは、一般的に設計上これを受け止める強度を備えていないため、その車幅方向中央部分で折れ曲がってしまい、この結果、左右のフロントサイドフレームが機能せずに大きな損壊が発生してしまう虞がある。
【０００６】
特許文献１は、圧縮スプリングを内蔵した張力維持機構とワイヤとを使った衝撃荷重分散装置を開示している。この衝撃荷重分散装置は、ワイヤをバンパーレインフォースメントに沿って左右に張設し、そして、このワイヤを左右のフロントサイドフレームのブラケットを介して後方に導いてワイヤの左右の端部の間に張力維持機構を介装すると共にバンパーレインフォースメントの車幅方向中央部分をワイヤに連結する構成が採用されている。この構成によれば、前面衝突時の荷重は、左右のフロントサイドフレームと共にパンパーレインフォースメントの中央部分からワイヤに入力される。
【０００７】
【特許文献１】特開２００５−２６２９５１号公報
【発明の開示】
【発明が解決しようとする課題】
【０００８】
上記特許文献１の発明は、当該特許文献１に記載のとおり、車両の前面衝突に対して効率良く荷重分散やエネルギ吸収を行うことを目的とするものであるが、圧縮バネを使った張力維持機構を配設した構成から考えて、車速十数Km/h以下でのいわゆる軽衝突時に有効であると考えられる。
【０００９】
本発明の目的は、ポールのように車幅方向に広がりを備えていない障害物に対して車幅方向中央部分が激突したときに左右のフロントサイドフレームに衝突荷重を分散させると共にパワープラントの後退を抑えることのできる車体前部構造を提供することにある。
【課題を解決するための手段】
【００１０】
上記の技術的課題は、本発明によれば、
エンジンルームに搭載したパワープラントに係合して該パワープラントから左右に且つ前方に延びる少なくとも２組の上下に離置した可撓性の上方張力材と下方張力材を有し、
前記上方張力材の左右の前端が、前記エンジンルームを前後方向に延びる閉断面構造の左右のフロントサイドフレームの前端部に締結され、
前記下方張力材の左右の前端が、前記左右のフロントサイドフレームの前端部に締結され、
前記下方張力材が、前記パワープラントの後端部に係合して、該パワープラントを下方から見たときに、前方に向けて略Ｖ字状に延びていることを特徴とする車体前部構造を提供することにより達成される。
【００１１】
本発明によれば、前面衝突によってポールがエンジンルーム内に侵入してパワープラントと干渉したときに、上下に離置した上方及び下方張力材によってパワープラントの好ましくない挙動、特に横置きエンジンを含むパワープラントが後方に倒れ込む回転動作を抑制することができる。勿論のことであるが、フルラップ前面衝突、オフセット前面衝突に対する衝突エネルギを吸収する基本構造に大きな変更を必要とせずに、上方ワイヤ、下方ワイヤを追加するだけで車幅方向中央部分がポールなどの障害物に衝突した場合にも、この衝突荷重が左右のフロントサイドフレームに分散されるため、フロントサイドフレームが本来的に備えている衝突エネルギ吸収機能を発揮させることができる。
【００１２】
なお、本発明にいう「フロントサイドフレームの前端部」という意味は、パワープラントの前方且つフロントサイドフレームが前面衝突（フルオーバーラップ衝突、オフセット衝突）の際に軸線方向への潰れが十分にとれる前方位置という技術的意味であり、必ずしもフロントサイドフレームの前端近傍に限定したものでないことは言うまでもない。
【００１３】
本発明の好ましい実施の形態では、前記下方張力材が、前記パワープラントの下面を通過している。このようにＶ字状に配索する下方張力材をパワープラントの下面に沿って配索することで、上述したパワープラントの回転動作を一層的確に抑制することができる。
【００１４】
本発明の好ましい実施の形態では、
前記左右のフロントサイドフレームの後端部の間を車幅方向に延びるサブフレームと、
該サブフレームに前記パワープラントの後端部を搭載する第１マウント部材と、を更に有し、
前記下方張力材が第１、第２の分割下方張力材からなり、
これら第１、第２の分割下方張力材の前端が前記左右のフロントサイドフレームの前端部に夫々締結されると共に該第１、第２の分割下方張力材の後端が前記第１マウント部材に締結されている。
【００１５】
このようにパワープラントの後端部をサブフレームに搭載する第１マウント部材を利用することで、下方張力材をＶ字配置するのが容易となる。
【００１６】
また、本発明の好ましい実施の形態では、
前記閉断面構造の左右のフロントサイドフレームの前端部に上下に貫通するロングボルトを有し、
該ロングボルトの上端部に前記上方張力材の前端が締結され、
前記ロングボルトの下端部に前記下方張力材の前端が締結されている。
【００１７】
この実施の形態によれば、閉断面構造のフロントサイドフレームを貫通するロングボルトの上下に上方、下方の張力材を締結することで、上下の張力材からフロントサイドフレームに入力される衝突荷重をフロントサイドフレームの互いに対抗する面に分散することができ、これによりフロントサイドフレームの局部的な破壊や予期しない変形を抑制することができる。
【００１８】
本発明の他の目的、作用効果については、以下の本発明の好ましい実施例の詳細な説明から明らかになろう。
【発明を実施するための最良の形態】
【００１９】
以下に、添付の図面に基づいて本発明の好ましい実施例を説明する。
【００２０】
第１実施例（図１〜図９）：
図１、図２を参照して、参照符号１はダッシュパネルを示し、ダッシュパネル１によって車室２とエンジンルーム３とが区画されている。車室２には、インスツルメントパネル４、ブレーキペダル５やアクセルペダル等が設けられている。参照符号６はフロントウインドウである。
【００２１】
図１はエンジンルーム３を斜め前方から図であり、図２はエンジンルーム３を側方から見た図である。エンジンルーム３の下方域には、車体前後方向にエンジンルーム３の全域に亘って延在する左右のフロントサイドフレーム１０が配設されており、フロントサイドフレーム１０は、矩形の閉断面構造を有している。既知のように、左右のフロントサイドフレーム１０の前端には、車幅方向に延びるバンパーレインフォースメント１２がクラッシュカン１４を介して連結されている。なお、図１では、バンパーレインフォースメント１２及びクラッシュカン１４を省いてエンジンルーム３を描いてある。エンジンルーム３の下方域には、更に、フロントサイドフレーム１０よりも下方に位置するサブフレーム１６が配設されている。参照符号１８は前輪である。
【００２２】
エンジン２０は、水冷式の直列四気筒エンジンであり、エンジン出力軸を車幅方向に向けてエンジンルーム３内に搭載されている（図１）。すなわち、エンジン２０は横置きのレシプロエンジンであり、エンジン２０の後端にはトランスアクスル２２が連結されており、エンジン２０とトランスアクスル２２は車幅方向に並んで配設され、エンジン出力は、トランスアクスル２２に内蔵されたデファレンシャルギア２４を介して左右の前輪１８に分配される。この自動車は前輪駆動形式の車両であるが、４輪駆動形式や、エンジン出力軸を車体前後方向に向けてエンジンを搭載した縦置きエンジン形式の車両に対しても本発明を適用することができる。
【００２３】
エンジン２０は水冷式の４気筒エンジンであり、このエンジン２０の冷却水は、フロントサイドフレーム１０の前端部の間のシュラウドパネル２６に固設されたラジエータ（図示せず）によって冷却される。
【００２４】
横置きのエンジン２０は、その前面２０ａから吸気され、後面２０ｂから排気される。すなわち、エンジン２０は前方吸気、後方排気の形式が採用されており（図２）、エンジン２０のシリンダヘッド２８には、その前面に吸気管３０が連結され、後面に排気管３２が連結されている。
【００２５】
サブフレーム１６は、左右のフロントサイドフレーム１０の前端部及び後端部の間を車幅方向に延びる前方及び後方部分１６a、１６ｂと、各フロントサイドフレーム１０に沿って延びる左右の側方部分１６ｃと、を有する平面視略四角形の形状のペリメーターフレームで構成されている（図３）。
【００２６】
図２、図３を参照して、左右のフロントサイドフレーム１０の前端部には、下方に延びるペリメーターフレーム用ブラケット３４が設けられ、このペリメーターフレーム用ブラケット３４の下端にサブフレーム１６がロングボルト３６（図１、図４）を使って固定されている。
【００２７】
エンジン２０及びトランスアクスル２２を含むパワープラント４０は、サブフレーム１６の後方部分１６ｂとデファレンシャルギア２４のケース４２の下面との間の第１マウント部材４４と、一方のフロントサイドフレーム１０の上面とシリンダブロック４６との間の第２マウント部材４８と、他方のフロントサイドフレーム１０の上面とトランスアクスル２２の変速機ケース５０の上面との間の第３マウント部材５２とでエンジンルーム３に搭載されている。
【００２８】
パワープラント４０は、上下に離置した２組のワイヤ６０、６２によって左右のフロントサイドフレーム１０の前端部に係止されている。２組のワイヤ６０、６２のうち上方ワイヤ６０は、エンジン２０のシリンダブロック４６つまりクランクケース６４とシリンダヘッド２８との間を通過して前方に延び、上方ワイヤ６０の左右の前端が左右のフロントサイドフレーム１０を上下に貫通して延びるロングボルト３６の上端部に締結されている。
【００２９】
下方ワイヤ６２は、図３から最も良く分かるように、第１の分割下方ワイヤ９４と第２の分割下方ワイヤ９６とで構成されており、この第１、第２の分割下方ワイヤ９４、９６は、パワープラント４０の下面に沿って配索されている。第１、第２の分割下方ワイヤ９４，９６の前端は、夫々、左右のロングボルト３６の下端部に締結されている。すなわち、上方ワイヤ６０及び第１、第２の分割下方ワイヤ９４，９６の前端は、サブフレーム１６を左右のフロントサイドフレーム１０に締結するためのロングボルト３６を利用して、フロントサイドフレーム１０の前端部に締結されている。ここに、好ましくは、フロントサイドフレーム１０の前端部をレインフォースメントで補強するのがよい。
【００３０】
図４は、上方ワイヤ６０及び第１、第２の分割下方ワイヤ９４、９６からなる下方ワイヤ６２の前端をフロントサイドフレーム１０に締結する具体例の詳細図である。フロントサイドフレーム１０は、アウタ１０ａとインナ１０ｂとで縦長の閉断面構造を有しており、この閉断面構造の内部に断面コ字状のレインフォースメント１０ｃが添設されており、フロントサイドフレーム１０の上下の壁及びこれに添設したレインフォースメント１０ｃには、ボルト挿入孔７０が形成され、このボルト挿入孔７０にロングボルト３６が挿入される。また、フロントサイドフレーム１０の前端部には、前述したように、下方に延びるブラケット３４が溶接されており、このブラケット３４の下端面にサブフレーム１６が配設されており、サブフレーム１６をフロントサイドフレーム１０に締結するためのロングボルト３６は上下に延びている。
【００３１】
ロングボルト３６は、ボルトヘッド３６ａと、下端部に第１、第２の２つの雄ねじ部３６ｂ、３６ｃを有している。他方、フロントサイドフレーム１０には上下に貫通するボルト挿通孔が形成されており、また、ブラケット３４にはロングボルト３６の第１ねじ部３６ｂが螺合する雌ねじ部３４ａが形成されている。他方、サブフレーム１６には、ゴムブッシュ７２を備えたマウント部材７４が固設されており、このマウント部材７４は、上下に延びる中心スリーブ７６を有している。
【００３２】
図４から分かるように、上方ワイヤ６０、下方ワイヤ６２の前端は共にシングルロック８０の端末を有し、このシングルロック８０のアイ８０ａにロングボルト３６を挿入して、大径ワッシャ７７を介在させた状態でナット７８をロングボルト３６に螺着させることにより、上方ワイヤ６０及び下方ワイヤ６２が左右のフロントサイドフレーム１０に締結される。ここに、上方ワイヤ６０の前端はフロントサイドフレーム１０の上面に配設され、下方ワイヤ６２の前端はブラケット３４とサブフレーム１６との間に配設される。
【００３３】
上下のワイヤ６０、６２から衝突荷重がフロントサイドフレーム１０に入力されると、このフロントサイドフレーム１０に衝突荷重が入力される部位がレインフォースメント１０ｃによって補強されているため、このレインフォースメント１０ｃによってフロントサイドフレーム１０の閉断面矩形の４辺のうち３辺に衝突荷重が分散させつつフロントサイドフレーム１０に衝突荷重が入力される。したがって、ロングボルト３６を介在した衝突荷重の入力によってフロントサイドフレーム１０は、効果的な潰れが生じ、これによりフロントサイドフレーム１０が本来的に有している衝撃吸収機能を発揮させることができる。また、縦長の矩形の閉断面構造のフロントサイドフレーム１０に対して上下に貫通するロングボルト３６を介在して上下のワイヤ６０、６２から衝突荷重が入力されるため、換言すれば、ロングボルト３６を横方向（水平方向）にフロントサイドフレーム１０を貫通させた場合に対比して、ボルト挿入孔７０とフロントサイドフレーム１０の角部とが接近しているため、ボルト挿入孔７０の近傍が裂けるなどの問題を誘発する可能性を低減することができ、ロングボルト３６から衝突荷重を的確にフロントサイドフレーム１０に伝達することができる。
【００３４】
上方ワイヤ６０の配索は、図５、図６から分かるように、ガイド部材８２によって位置決めされる。ガイド部材８２は２つの壁８２ａを有し、この２つの壁８２ａの間に上方ワイヤ６０、６２が位置決めされる。図６を参照して、ガイド部材８２はボルト８４を使ってパワープラント４０に締結される。また、ガイド部材８２は、好ましくは上方ワイヤ６０を設置した後にキャップ８６で覆うのがよい。これにより、パワープラント４０が動作することに伴って上方のワイヤ６０がガイド部材８２から離脱するのを防止することができる。
【００３５】
上方ワイヤ６０は、エンジン２０のシリンダブロック４６の上端部に掛け渡されて、一方の端部がエンジン２０の前端面つまりトランスアクスル２２とは反対側の端面に沿って前方に延び、他方の端部がトランスアクスル２２の上方を通って前方に延び、そして上方ワイヤ６０の左右の先端部が左右のフロントサイドフレーム１０の前端部に連結されている。そして、上方ワイヤ６０は、図２から分かるように、フロントサイドフレーム１０の軸線とほぼ平行に位置するのが好ましい。なお、ここに言う「平行」という意味は、上方ワイヤ６０からの衝突荷重が、フロントサイドフレームの設計上の潰れ方向に入力されるという技術的意味を有するのであり、従ってフロントサイドフレーム１０の設計上の潰れ方向に衝突荷重が入力される範囲で「平行」の意味を把握されたい。換言すれば、「平行」という意味を幾何学上の意味に限定して解釈すべきではない。フロントサイドフレームのなかには、その軸線が側面視で緩やかな曲線を描くフロントサイドフレームも存在しているが、この場合には、エネルギ吸収量が大きくなる効率的なフロントサイドフレームの潰れ方向に、衝突時に緊張した上方ワイヤ６０の延び方向が側面視で略一致する態様は本発明の「平行」に含まれることになる。
【００３６】
第１、第２の二本の分割下方ワイヤ９４、９６からなる下方ワイヤ６２は、前述したように、パワープラント４０の下面を通過して延び、その後端は第１マウント部材４４に連結され、第１マウント部材４４を介してパワープラント４０に連結されている（図７）。言うまでもないことであるが、第１マウント部材４４はパワープラント４０に直に関連した強度部材であり、したがって本発明の言う可撓性張力材に関連したパワープラントは第１マウント部材４４を含むものとして理解されたい。
【００３７】
図７〜図９は、第１マウント部材４４の詳細図である。第１マウント部材４４は、サブフレームアーム部材１６の後方部分１６ｂから前方に延び且つ揺動可能なアーム９８の先端にスリーブ１００を有し、このスリーブ１００はラバー１０２を介して軸部１０４に連結されており、この軸部１０４がパワープラント４０に連結されたブラケット１０６にボルト１０８とナット１１０の組み合わせによって回動可能に取り付けられている。第１、第２の分割下方ワイヤ９４、９６の後端は、共に、シングルロック８０の端末を有し、このシングルロック８０のアイ８０ａ（図９）にボルト１０８が挿入されることにより、第１、第２の分割下方ワイヤ９４、９６の後端が第１マウント部材４４を介してパワープラント４０に連結されている。好ましい態様として、図９から最も良く分かるように、一方の分割下方ワイヤ９４の後端がボルトヘッド１０８ａに隣接して配設され、他方の分割下方ワイヤ９６の後端がナット１１０に隣接して配設されるのがよい。
【００３８】
前面衝突において、バンパーレインフォースメント１２の車幅方向中央部分にポールなどが激突してバンパーレインフォースメント１２が車幅方向中央部分で屈曲し、そしてエンジンルーム３内に侵入してパワープラント４０と干渉したときには、この衝突荷重を上方及び下方のワイヤ６０、６２によってフロントサイドフレーム１０の前端部に分散することができる。フロントサイドフレーム１０は前面衝突の衝撃を緩和する機能を有しているのは従来と同様であり、このことから車幅方向中央部分がポールなどに激突するような前面衝突に対してもフロントサイドフレーム１０によって衝突エネルギを吸収することができる。
【００３９】
また、フロントサイドフレーム１０の前端部に締結された上方ワイヤ６０及び下方ワイヤ６２がパワープラント４０と係合しているため、この上下のワイヤ６０、６２によってパワープラント４０の後退を抑制することができる。
【００４０】
勿論のことであるが、フルラップ前面衝突、オフセット前面衝突に対する衝突エネルギを吸収する基本構造に大きな変更を必要とせずに、上方ワイヤ６０、下方ワイヤ６２を追加するだけで車幅方向中央部分がポールなどの障害物に衝突した場合にも上記基本構造によって衝突エネルギを吸収することができる。
【００４１】
上下に離間した上方ワイヤ６０と下方ワイヤ６２によって、後退するパワープラント４０を受け止めると共に下方分割ワイヤ９４、９６からなる下方ワイヤ６２がパワープラント４０の下面に沿って且つ前方に向けて略Ｖ状に展開していることから、後退するパワープラント４０が側面視で後方に倒れ込むような回転を抑制することができ、これにより上下のワイヤ６０、６２によって左右のフロントサイドフレーム１０へ早期に衝突荷重を入力することができる。
【００４２】
また、フロントサイドフレーム１０を上下に貫通してサブフレーム１６を締結するためのロングボルト３６を使って上方ワイヤ６０及び下方ワイヤ６２（各下方分割ワイヤ９４、９６）の前端をフロントサイドフレーム１０に締結してあるため、上方ワイヤ６０及び下方ワイヤ６２の前端をフロントサイドフレーム１０に固定するための部材を別途用意する必要がないだけでなく、衝突荷重をフロントサイドフレーム１０だけでなくサブフレーム１６にも分散することができる。
【００４３】
また、閉断面構造のフロントサイドフレーム１０を貫通する部材（ロングボルト３６）によってワイヤ６０、６２をフロントサイドフレーム１０に固定する構造を採用することにより、ワイヤ６０、６２から入力される衝突荷重をフロントサイドフレーム１０の互いに対抗する面に分散することができ、フロントサイドフレーム１０の局部破壊やワイヤ６０、６２からの入力に伴うフロントサイドフレーム１０の前端部の予期しない変形を抑制することができ、これによりフロントサイドフレーム１０の本来の変形を伴う衝突エネルギ吸収機能を発揮させることができる。
【００４４】
シリンダブロック４６の上端部に上方ワイヤ６０を掛け渡すことでフロントサイドフレーム１０への入力方向が、衝突によるフロントサイドフレームフレーム１０の変形の方向つまりフロントサイドフレーム１０の軸線と平行となることから、フロントサイドフレーム１０の本来の変形を伴う衝突エネルギ吸収機能を発揮させることができる。
【００４５】
また、上下のワイヤ６０、６２の前端が、側方に突出する部材を備えていないシングルロック８０の端末を有していることから、ワイヤ６０、６２の端部がフロントサイドフレーム１０と干渉する虞がない。
【００４６】
第２実施例（図１０〜図１２）：
第２実施例の説明において、第１実施例に含まれる要素と同じ要素には同一の参照符号を付すことにより、その説明を省略し、以下に、この第２実施例の特徴部分を説明する。
【００４７】
上方ワイヤ６０は、第１、第２の二本の分割上方ワイヤ９０、９２で構成されており、その後端が第２、第３マウント部材４８、５２に締結され、この第２、第３マウント部材４８、５２を介してパワープラント４０に締結されている。言うまでもないことであるが、第２、第３マウント部材４８、５２はパワープラント４０に直に関連した強度部材であり、したがって本発明の言う可撓性張力材に関連したパワープラントは第２、第３マウント部材４８、５２を含むものとして理解されたい。
【００４８】
図１２は、第３マウント部材５２に関して、トランスアクスル２２の変速機ケース５０の上面の座１２２にブラケット１２０を固定するためのボルト１２４を使って、第２分割上方ワイヤ９２の後端を固定する例を開示するものである。第２分割上方ワイヤ９２の後端はシングルロック８０の端末を有し、このシングルロック８０のアイ８０ａにボルト１２４を挿通した後にブラケット１２０をトランスアクスル２２の座１２２に締結することにより、第２分割上方ワイヤ９２の後端がトランスアクスル２２に係止される。第１分割上方ワイヤ９０の後端についても、上記第２分割上方ワイヤ９２と実質的に同じ手法を使って第２マウント部材４８に締結され、この第２マウント部材４８を介して第１分割上方ワイヤ９０がエンジン２０に係止される。
【００４９】
以上、本発明の好ましい実施例を説明したが、下方ワイヤ６２に関して第１、第２の２本の分割下方ワイヤ９４、９６に代えて、下方ワイヤ６２を一本のワイヤで構成してもよい。また、下方ワイヤ６２をパワープラント４０の後端部に係止させるのに、アイボルトなどの固定具をパワープラント４０にボルト止めしてもよく、或いは、パワープラント４０のケース（上記の例であればデファレンシャルギアケース）に固定要素を一体成形し、この固定要素に下方ワイヤ６２を締結するようにしてもよい。
【図面の簡単な説明】
【００５０】
【図１】第１実施例に関し、エンジンルームを前方から見た図である。
【図２】第１実施例に関し、エンジンルームを側方から見た図である。
【図３】第１実施例に関し、エンジンルームを下方から見た図である。
【図４】フロントサイドフレームの前端部に関してサブフレームを締結するためのロングボルトを使って上方ワイヤ、下方ワイヤをフロントサイドフレームに締結する具体例を示す図である。
【図５】第１実施例に関し、パワープラントを後方から見た図である。
【図６】第１実施例に関し、上方ワイヤを位置決めするガイド部材の一例を示す図である。
【図７】第１実施例に関し、第１、第２の分割下方ワイヤの後端が締結される第１マウント部材を説明するための図である。
【図８】図７に関連して、第１マウント部材を拡大して示す斜視図である。
【図９】第１マウント部材の縦断面図である。
【図１０】第２実施例に関し、エンジンルームを上方から見た図である。
【図１１】第２実施例に関し、エンジンルームを側方から見た図である。
【図１２】第２実施例に関し、横置きエンジンのトランスアクスル（変速機ケース）をフロントサイドフレームに搭載する第３マウント部材に上方分割ワイヤの後端を締結する例を説明するための分解斜視図である。
【符号の説明】
【００５１】
３  エンジンルーム
１０  フロントサイドフレーム
１６  サブフレーム
２０  エンジン
２２  トランスアクスル
２４  デファレンシャルギア
２８  シリンダヘッド
３０  吸気管
３２  排気管
３６  ロングボルト
４０  パワープラント
４４  第１マウント部材
４８  第２マウント部材
５２  第３マウント部材
６０  上方ワイヤ
６２  下方ワイヤ
８０  シングルロック
８０ａ  シングルロックのアイ
９０  分割上方ワイヤ
９２  分割上方ワイヤ
９４  分割下方ワイヤ
９６  分割下方ワイヤ
【図１】
2010006222.tif 000003
【図２】
2010006222.tif 000004
【図３】
2010006222.tif 000005
【図４】
2010006222.tif 000006
【図５】
2010006222.tif 000007
【図６】
2010006222.tif 000008
【図７】
2010006222.tif 000009
【図８】
2010006222.tif 000010
【図９】
2010006222.tif 000011
【図１０】
2010006222.tif 000012
【図１１】
2010006222.tif 000013
【図１２】
2010006222.tif 000014